(57)【特許請求の範囲】
【請求項１】
板状の基板と、該基板の一方の面に起立する指股挟込み把持部とを有し、
前記基板は、手の握力により変形可能な弾性樹脂で構成され、且つ前記指股挟込み把持部の近傍に変形誘導部を備え、該変形誘導部により誘導されて屈曲可能となっており、
前記指股挟込み把持部が、扁平な縦長の断面形状を備える板状部分を有しており、
前記変形誘導部が、開口部であり、前記指股挟込み把持部に回り込む、前記指股挟込み把持部の側面の少なくとも一方に延びた略ハート形状、略凹形状、又は略ビーンズ形状を備えているマッサージ具。
【請求項２】
前記板状部分を有する前記指股挟込み把持部の側面が、内方向凹状に形成されている請求項１記載のマッサージ具。
【請求項３】
前記板状部分を有する前記指股挟込み把持部の側面に、リブが設けられている請求項１又は２記載のマッサージ具。
【請求項４】
前記基板の先端外周縁部に、凹凸形状の縁取り部が形成されている請求項１〜３の何れか１項記載のマッサージ具。
【請求項５】
前記基板の少なくとも一方側の側縁部に、凹状にくぼんだくびれ部が形成されている請求項１〜４の何れか１項記載のマッサージ具。
【請求項６】
前記基板の前記指股挟込み把持部が起立する一方の面に、リブが設けられている請求項１〜５の何れか１項記載のマッサージ具。
【請求項７】
前記基板の他方の面に、複数の突起が分散配置されている請求項１〜６の何れか１項記載のマッサージ具。
【請求項８】
前記指股挟込み把持部を人差し指と中指との間の指股部で挟み込んで前記基板を掌に沿わせて手に装着した際に、前記基板の他方の面に分散配置された複数の突起のうちの少なくとも１つ以上が、前記人指し指又は中指と重なって配置される請求項７記載のマッサージ具。
【請求項９】
前記基板の他方の面に分散配置された複数の突起が、前記基板の他方の面から３〜２０ｍｍの高さで突出している請求項７又は８記載のマッサージ具。
【請求項１０】
前記基板の他方の面に分散配置された複数の突起が円柱状であり、該突起の先端に当該先端の外周部との間にリング状凹溝を介在させて中央小突起がさらに突出する、２重の突起構造を備えている請求項７〜９の何れか１項記載のマッサージ具。
【発明の詳細な説明】
【技術分野】
【０００１】
本発明は、マッサージ具に関する。
【背景技術】
【０００２】
身体の四肢やその他の部位に対するマッサージ方法として、一般に圧迫法（身体を押すマッサージ方法）、強擦法（身体を擦るマッサージ方法）、揉捏法（身体を揉むマッサージ方法）、軽擦法（身体を撫でるマッサージ方法）、打突法（身体を叩くマッサージ方法）等が知られており、これらは、例えば身体の皮膚に指を押し当てて、圧迫したり、擦り付けたり、揉み解したりすることで、例えば血液の流れを促進して、疲労の回復や予防を図るものである。
【０００３】
これらのマッサージ方法は、掌や指先で行われることが多いが、さらに効果的にマッサージを行えるようにすることを目的として、種々のマッサージ具やブラシが開発されている（例えば、特許文献１、特許文献２、特許文献３参照）。
【０００４】
特許文献１のマッサージ具は、少なくとも片手で把持可能な横幅をその短手方向に持った平面略縦長形状の基部を、縦横自在に弾性変形可能な可撓性プレートとして形成し、略球面状先端を持つ複数の突起を、所定の配列をもってこの基部の片面上に一体的に立設することによって、この突起の縦横自在な傾動を確保可能とするとともに、この基部を、その平面上の長手方向で少なくとも２領域に区分し、この２領域のうちの一方に配された突起の高さを、他方の領域に配された突起より高く形成したものである。特許文献２の頭皮頭髪用ブラシは、ブラシ台の表面にブリッスルが設けられたブラシ部を２つ有し、その２つのブラシ部は結合されており、一方の手の指の腹側をブラシ部に対向させたときに、他方のブラシ部がその手の甲側に位置した状態でブラシをその手に保持できる手段を備えていることを特徴とするものである。特許文献３の洗髪・ボディ兼用ブラシは、柔らかい材質のブラシ本体１と硬い材質のブラシ本体２と連結させる柄３で構成されるものである。
【先行技術文献】
【特許文献】
【０００５】
【特許文献１】実用新案登録第３０７６８７８号公報
【特許文献２】特開２００９−１８９６４０号公報
【特許文献３】実用新案登録第３０９８０１１号公報
【発明の概要】
【発明が解決しようとする課題】
【０００６】
しかしながら、特許文献１〜３のマッサージ具やブラシでは、マッサージ具を掌及び指全体に装着しその動きに追従させて、揉捏法によるマッサージを行うことは困難である。
【０００７】
本発明は、圧迫法や強擦法や軽擦法や打突法によるマッサージに加えて、揉捏法によるマッサージを効果的に行うことのできるマッサージ具を提供することを目的とする。
【課題を解決するための手段】
【０００８】
本発明は、板状の基板と、該基板の一方の面に起立する指股挟込み把持部とを有し、前記基板は、手の握力により変形可能な弾性樹脂で構成され、且つ前記指股挟込み把持部の近傍に変形誘導部を備え、該変形誘導部により誘導されて屈曲可能なマッサージ具を提供することにより、上記目的を達成したものである。
【発明の効果】
【０００９】
本発明のマッサージ具によれば、圧迫法や強擦法や軽擦法や打突法によるマッサージに加えて、揉捏法によるマッサージを効果的に行うことができる。
【図面の簡単な説明】
【００１０】
【図１】本発明の好ましい一実施形態に係るマッサージ具を掌に装着した状態で示す斜視図である。
【図２】本発明の好ましい一実施形態に係るマッサージ具の側面図である。
【図３】本発明の好ましい一実施形態に係るマッサージ具の図２を右側から見た正面図である。
【図４】図２のＡ−Ａに沿った端面図である。
【図５】本発明の好ましい一実施形態に係るマッサージ具の底面図である。
【図６】本発明の好ましい一実施形態に係るマッサージ具の上面図である。
【図７】薄肉部による変形誘導部を説明する、図５のＢ−Ｂに沿った断面図である。
【発明を実施するための形態】
【００１１】
図１に示す本発明の好ましい一実施形態に係るマッサージ具１０は、基板１１の一方の面１１ａに掌を沿わせて手に装着した状態で、基板１１の他方の面１１ｂを身体の四肢やその他の部位に押し付けたり、擦り付けたり、撫で付けたり、叩いたりすることで、身体の皮膚を刺激して、圧迫法や強擦法や軽擦法や打突法によるマッサージを効果的に行える機能を備える。また、本実施形態のマッサージ具１０は、掌及び指全体を覆うように容易に且つ安定した状態で装着できると共に、基板１１が、掌や掌の指の動きに追従して容易に屈曲変形できるようになっていることで、身体を揉み解して、揉捏法によるマッサージも効果的に行える機能を備える。
【００１２】
そして、本実施形態のマッサージ具１０は、図２〜図６にも示すように、板状の基板１１と、この基板１１の一方の面１１ａに起立する指股挟込み把持部１２とを有し、基板１１は、手の握力により変形可能な弾性樹脂で構成され、且つ指股挟込み把持部１２の近傍に変形誘導部１４を備え、この変形誘導部１４により誘導されて屈曲可能となっている。
【００１３】
本実施形態では、好ましくは基板１１の他方の面１１ｂに、複数の突起１３が分散配置されている（図１、図２、図３、図５参照）。
【００１４】
また、本実施形態では、変形誘導部１４は、基板１１の中央領域に縦横に相当の大きさの開口幅を有するように形成された、開口部１５ａによるものとなっている（図５、図６参照）。
【００１５】
本実施形態では、変形誘導部１４は、開口部１５ａに代えて、基板１１の中央領域に縦横に相当の大きさの幅を有するように形成された、薄肉部１５ｂとすることもできる（図７参照）。
【００１６】
さらに、本実施形態では、指股挟込み把持部１２が、扁平な縦長の断面形状を備える板状部分１６を有し（図２〜図４参照）、この板状部分１６の縦長方向と交差する方向を屈曲谷線Ｘ（図１参照）として屈曲可能なように、変形誘導部１４により誘導されるようになっている。ここにおいて、縦長とは、扁平な断面形状の長手方向を縦方向とし、その長さが横方向の長さより長いことを言う。
【００１７】
本実施形態では、マッサージ具１０は、手の握力により変形可能な弾性樹脂として、例えばスチレン樹脂、ポリエステル樹脂、オレフィン樹脂、ウレタン樹脂等のエラストマー樹脂や、合成ゴム等を用いて、好ましくは基板１１と、指股挟込み把持部１２と、複数の突起１３とを一体成形することにより形成されている。これによって基板１１は、手の握力によって変形可能な柔軟な弾性樹脂からなる。基板１１が、手の握力によって変形可能な柔軟な弾性樹脂からなっていることにより、基板１１に形成された開口部１５ａや薄肉部１５ｂや軟質部１５ｃによる変形誘導部１４の作用と相俟って、基板１１を掌や掌の指の動きに合わせてスムーズに弾性変形させることが可能になる。
【００１８】
ここで、基板１１を構成する弾性樹脂は、手の握力によって容易に弾性変形できる程度の弾力性を備える弾性樹脂であり、硬度（ショアＡ硬度、株式会社テクロック製のゴム硬度計（ＧＳ７０９Ｎ  形式Ａ）ＡＳＴＭ  Ｄ２２４０Ａ  ０−１００（ショアＡ硬度）に準拠して測定された数値）が３０〜８０の物性を備える弾性材料であることが好ましい。また、基板１１を構成する弾性樹脂は、同硬度が３５〜７５の弾力性を備えていることが好ましく、４０〜７０の弾力性を備えていることが更に好ましい。
【００１９】
本実施形態では、基板１１は、好ましくは成人女性の掌に略収まり手の握力により変形し得る程度の、いわゆる掌サイズの大きさ及び形状として、例えば縦幅が１００〜１６０ｍｍの大きさ、好ましくは１０５〜１５５ｍｍの大きさ、更に好ましくは１１０〜１５０ｍｍの大きさであり、横幅が６５〜１０５ｍｍの大きさ、好ましくは７０〜１００ｍｍの大きさ、更に好ましくは７５〜９５ｍｍの大きさであるうち縦長の平面形状を備えるように形成される。また、基板１１は、好ましくは周縁部が周縁肉厚部２０（図５参照）によって補強された、例えば１〜６ｍｍの厚さ、好ましくは１．５〜４ｍｍの厚さ、更に好ましくは２〜３ｍｍの厚さの平板形状に形成される。なお、周縁肉厚部２０の幅は、２〜８ｍｍが好ましく、更に好ましくは３〜６ｍｍであり、殊更好ましくは３．５〜４．５ｍｍである。周縁肉厚部２０の最大厚みは、基板１１の平板部分の厚みに対して、１．１〜３倍の厚さ、好ましくは１．２〜２．５倍の厚さ、殊更好ましくは１．３〜２倍の厚さである。このような周縁肉厚部２０の幅や厚みであると、補強の点や、使い心地の点や、弾性変形の点で好ましい。
【００２０】
基板１１には、例えば、指股挟込み把持部１２を人指し指と中指との間の指股部に挟み込んで、当該基板１１を掌に沿わせてマッサージ具１０を手に装着した際に、当該基板１１の縦長方向の手首側に配置される後端外周縁部１１ｃに、円弧形状の縁取り部が形成されていると共に、人さし指と中指の先端部が配置される先端外周縁部１１ｄに、凹凸形状の縁取り部が形成されている。この凹凸は、隣り合う凹部の間の長さが１５〜３０ｍｍであることが好ましい。基板１１の先端外周縁部１１ｄに凹凸形状の縁取り部が形成されていることにより、例えば揉捏法によるマッサージを行う際に、マッサージを行う身体の所定の部位に人さし指や中指を添えやすくなる。
【００２１】
また、基板１１には、例えば、指股挟込み把持部１２を人指し指と中指との間の指股部に挟み込んで、当該基板１１の一方の面１１aに掌に沿わせてマッサージ具１０を手に装着した際に、親指及び小指に沿って配置される当該基板１１の少なくとも一方側の側縁部１１ｅに、凹状にくぼんだくびれ部が形成されている。基板１１の少なくとも一方側の側縁部１１ｅに凹状にくぼんだくびれ部が形成されていることにより、例えば揉捏法によるマッサージを行う際に、マッサージを行う身体の所定の部位に親指や小指を添えやすくなる。特に好ましくは、基板１１の両側の側縁部１１ｅに、凹状にくぼんだくびれ部が各々形成されている。基板１１の両側の側縁部１１ｅに、凹状にくぼんだくびれ部が各々形成されていることにより、例えば揉捏法によるマッサージを行う際に、マッサージを行う身体の所定の部位に親指及び小指を添えやすくなる。
【００２２】
本実施形態では、指股挟込み把持部１２の近傍に、当該基板１１を表裏に亘って貫通する開口部１５ａ、又は貫通することなく例えば、基板１１の平板部分に対して、０．１〜０．９倍の厚さ、好ましくは０．２〜０．８倍の厚さ、殊更好ましくは０．３〜０．７倍の厚さに形成された薄肉部１５ｂが、変形誘導部１４として形成されている。変形誘導部１４は、基板１１の中央領域に形成されていると好ましく、特に、指股挟込み把持部１２に回り込む形状が好ましい。中でも、指股挟込み把持部１２の側面の少なくとも一方に延びた形状が好ましく、具体的には例えば略ハート形状や略凹形状や略ビーンズ形状を備えていることが屈曲性の点で好ましい。開口部１５ａや薄肉部１５ｂは、点状の孔や線状のスリットとは異なり、縦横に相当の大きさの開口幅や薄肉幅を有する開口穴や薄肉部分として形成されている。変形誘導部１４が上述のような形態にて形成されていることにより、当該変形誘導部１４を中心として、扁平な縦長の断面形状を備える指股挟込み把持部１２の縦長方向と垂直又は略垂直に交差する方向のみならず、指股挟込み把持部１２の縦長方向と交差する任意の方向を屈曲谷線Ｘ（図１参照）の方向として、基板１１を屈曲させることが可能となる。その結果、例えば揉捏法によるマッサージを行う際に、種々の立体形状を備える身体の各部位の形状に沿わせて基板１１を屈曲させながら、揉捏法によるマッサージをさらに効果的に行うことが可能になる。開口部１５ａや薄肉部１５ｂは、複数個の開口部の集合であっても良いが、本実施形態では、基板１１の中央領域に形成されており、且つ略ハート形状を備えているため、特に好ましい。
【００２３】
また、本実施形態では、開口部１５ａ又は薄肉部１５ｂは、当該開口部１５ａ又は薄肉部１５ｂを２等分割する線分に沿った断面において、当該開口部１５ａ又は薄肉部１５ｂの開口幅又は薄肉幅が基板１１の幅に対して２０〜７０％の幅であることが好ましい。開口部１５ａ又は薄肉部１５ｂの開口幅又は薄肉幅が基板１１の幅に対して２０〜７０％の幅となるように開口部１５ａ又は薄肉部１５ｂが形成されていることにより、種々の立体形状を備える身体の各部位の形状に沿わせて基板１１を屈曲させながら、揉捏法によるマッサージをさらに効果的に行うことが可能になる。開口部１５ａ又は薄肉部１５ｂの開口幅又は薄肉幅が基板１１の幅に対して上述のとおりの適切な大きさであれば、開口部１５ａ又は薄肉部１５ｂが形成されていない部分の幅を相当程度確保して、基板１１の曲げに対する剛性が小さくなり過ぎることでマッサージ中に基板が１１がよれてしまうといった不具合が生じるのを効果的に回避することが可能になる。また、基板１１の曲げに対する剛性を充分に確保できる。
【００２４】
さらに、本実施形態では、開口部１５ａ又は薄肉部１５ｂは、開口面積又は薄肉面積が２〜２４ｃｍ2であることが好ましい。開口面積又は薄肉面積が２〜２４ｃｍ2となるように開口部１５ａ又は薄肉部１５ｂが形成されていることにより、種々の立体形状を備える身体の各部位の形状に沿わせて基板１１を屈曲させながら、揉捏法によるマッサージをさらに効果的に行うことが可能になる。開口部１５ａ又は薄肉部１５ｂの開口面積又は薄肉面積が上述のとおりの適切な大きさであれば、基板１１の変形に対する剛性が小さくなり過ぎることでマッサージ中に基板１１がよれてしまうといった不具合が生じるのを効果的に回避することが可能になる。
【００２５】
さらに、本実施形態では、開口部１５ａ又は薄肉部１５ｂは、開口面積又は薄肉面積が基板面積の２〜２５％であることが好ましい。開口面積又は薄肉面積が基板面積の２〜２５％となるように開口部１５ａ又は薄肉部１５ｂが形成されていることにより、種々の立体形状を備える身体の各部位の形状に沿わせて基板１１を屈曲させながら、揉捏法によるマッサージをさらに効果的に行うことが可能になる。開口部１５ａ又は薄肉部１５ｂの開口面積又は薄肉面積が上述のとおりの適切な大きさであれば、基板１１の変形に対する剛性が小さくなり過ぎることでマッサージ中に基板１１がよれてしまうといった不具合が生じるのを効果的に回避することが可能になる。
【００２６】
なお、本実施形態では、変形誘導部１４を開口部１５ａとすれば、例えばマッサージ剤を掌にとった手にマッサージ具１０を装着して身体のマッサージを行なう際に、掌にとったマッサージ剤が開口部１５ａを介して身体側に移動することで、マッサージ剤を皮膚に塗りのばしながら、マッサージ具１０を用いてマッサージを行うことが可能になる。或いは、例えば温感剤や冷感剤を含む感覚剤含有マッサージ剤をマッサージを行う箇所に塗り広げた後、マッサージ具１０にて身体のマッサージを行なう際に、マッサージを行う箇所に塗り広げた感覚剤含有マッサージ剤が開口部１５ａを介して掌側に移動することで、掌にて感覚剤の温感や冷感を実感しつつマッサージを行うことが可能になる。
【００２７】
本実施形態では、基板１１の指股挟込み把持部１２が起立する一方の面１１ａに、滑止めの機能を奏する表面リブ１７を設けておくと、揉捏法によるマッサージをさらに効果的に行うことが可能になるため好ましい。本実施形態では、表面リブ１７は、扁平な縦長の断面形状を備える指股挟込み把持部１２の縦長方向と垂直な方向に延設する線状リブとして、基板１１の一方の面１１ａの略全域に亘って、指股挟込み把持部１２の縦長方向に所定の間隔をおいて複数本平行に配置されて設けられている。基板１１の一方の面１１ａに滑止めの機能を奏する表面リブ１７が設けられていることにより、例えば揉捏法によるマッサージを行う際に、より滑りにくくなることから、掌の面１１ａに対するフィット性が向上し、揉捏法によるマッサージをさらに効果的に行うことが可能になる。
【００２８】
基板１１の一方の面に起立して設けられた指股挟込み把持部１２は、本実施形態では、扁平な縦長の断面形状を備える板状部分１６を有している。指股挟込み把持部１２が、扁平な縦長の断面形状を備える板状部分１６を有していることにより、当該指股挟込み把持部１２を、例えば、人指し指と中指との間の指股部に添わせて挟み込む場合に、フィット性が向上し、マッサージ具１０をより安定した状態で手に装着させることができ、揉捏法によるマッサージをさらに効果的に行うことが可能になる。なお、扁平な縦長の断面形状を備える板状部分１６の断面形状の横幅は、２〜１４ｍｍが好ましい。
【００２９】
また板状部分１６を有している指股挟込み把持部１２は、基板１１の中央領域から先端外周縁部１１ｄに向けて、好ましくは人さし指と中指との間の指股部の付根からこれらの指の第１関節に到る長さよりも短い長さで延設して、変形誘導部１４よりも基板１１の先端外周縁部１１ｄ側の領域に設けられている。また上述のように、指股挟込み把持部１２の近傍に設けられた変形誘導部１４は、指股挟込み把持部１２に回り込む形状となっている。指股挟込み把持部１２に、変形誘導部１４が回り込む形状になっていることにより、具体的には、本実施形態では、指股挟込み把持部１２の基板１１の後端外周縁部１１ｃ側の基端部１２ａが、開口部１５ａや薄肉部１５ｂに近接して配置されることにより、揉捏法によるマッサージを行う際に、基板１１を容易に屈曲させることができる。これによって、揉捏法によるマッサージを効果的に行うことが可能になる。板状部分１６を有している指股挟込み把持部１２が、人さし指と中指との間の指股部の付根からこれらの指の第１関節に到る長さよりも短い長さで延設して設けられていることにより、これらの指を第１関節の部分で下方に折り曲げやすくなる。これによって、揉捏法によるマッサージをさらに効果的に行うことが可能になる。
【００３０】
さらに、本実施形態では、板状部分１６を有している指股挟込み把持部１２の側面１２ｂが、図４に示すように、内方向凹状に形成されている。すなわち、板状部分１６を有している指股挟込み把持部１２の側面１２ｂは、好ましくは板状部分１６の縦長方向の中央部分で、横幅が最大横幅の９０％〜４０％に狭められた、特に好ましくは緩やかに湾曲する凹状に形成されている。指股挟込み把持部１２の側面１２ｂが内方向凹状となっていることにより、例えば、指股挟込み把持部１２を人指し指と中指との間の指股部に挟み込んで、当該基板１１を掌に沿わせてマッサージ具１０を手に装着する際に、人差し指と中指の第２関節の出っ張り部分が側面１２ｂの凹状部分にフィットすることで、揉捏法によるマッサージを行う際に、より安定した状態でマッサージを行うことが可能になる。
【００３１】
さらにまた、本実施形態では、板状部分１６を有している指股挟込み把持部１２の側面１２ｂに、図２及び図４に示すように、滑止めの機能を奏する側面リブ１８が設けられている。本実施形態では、側面リブ１８は、基板１１と垂直な縦方向に延設する線状リブとして、横方向に所定の間隔をおいて複数本平行に配置されて設けられている。指股挟込み把持部１２の側面に、滑止めの機能を奏する側面リブ１８が設けられていることにより、より滑りにくくなることから、指股挟込み把持部１２に対する人差し指と中指の保持性が向上するので、より安定した状態でマッサージを行うことが可能になる。
【００３２】
本実施形態では、図２及び図３に示すように、指股挟込み把持部１２の上端部から外方に張り出して、指掛けつば部１９が設けられている。指掛けつば部１９が設けられていることにより、例えば、指股挟込み把持部１２を人指し指と中指との間の指股部に挟み込んで、当該基板１１を掌に沿わせてマッサージ具１０を手に装着して行なう身体の各部位へのマッサージ中に、人さし指及び中指の背側を当該指掛けつば部１９に係止させることが可能になる。これによって、例えば基板１１を曲折変形させながら揉捏法によるマッサージを行う際に、指股部が指股挟込み把持部１２から抜け出ないようにして、より安定した状態でマッサージを行うことが可能になる。指股挟込み把持部１２の高さ、すなわち、指股挟込み把持部１２の基端部１２ａから指掛けつば部１９のつば下までの高さは、例えば、指股挟込み把持部１２を人指し指と中指との間の指股部に挟み込んで、当該基板１１を掌に沿わせてマッサージ具１０を手に装着した際に、フィット性を向上させると共に保持性を向上させて、より安定した状態で良好にマッサージを行える点から、略指の太さに等しいことが好ましく、具体的には１８〜２４ｍｍが好ましく、更に好ましくは１９〜２３ｍｍであり、殊更好ましくは２０〜２２ｍｍである。
【００３３】
基板１１の他方の面１１ｂから突出して設けられた複数の突起１３は、図１及び図５にも示すように、本実施形態では、基板１１の他方の面１１ｂの全体に亘って略均等に分散配置されると共に、基板１１の他方の面１１ｂから、好ましくは３〜２０ｍｍの高さ、更に好ましくは４〜１８ｍｍの高さ、殊更好ましくは５〜１５ｍｍの高さで突出して設けられている。これらの突起１３は、身体のツボを刺激したり、皮膚を刺激したり、皮膚を圧迫（指圧）したり、毛穴を刺激したりする機能を備える。これらの突起１３が上述の高さで突出していることにより、揉捏法によるマッサージを行う際に、ツボをしっかりととらえ、より安定した状態でマッサージを行うことが可能になる。
【００３４】
また、本実施形態では、突起１３は、各々、先端側に向って徐々に縮径する略円柱形状を備える。また突起１３は、その略円柱形状の円柱状突起の先端に、当該先端の外周部との間にリング状凹溝１３ａを介在させて中央小突起１３ｂがさらに突出する、２重の突起構造を備えている。突起１２が先端に２重の突起構造を備えていることにより、揉捏法によるマッサージを行う際に、肌をしっかりととらえ、より安定した状態でマッサージを行うことが可能になる。
【００３５】
さらに、本実施形態では、突起１３は、指股挟込み把持部１２を人差し指と中指との間の指股部で挟み込んで基板１１を掌に沿わせて手に装着した際に、基板１１の他方の面１１ｂに分散配置された複数の突起１３のうちの少なくとも１つ以上が、人指し指又は中指と重なって配置されるようになっている。このように配置されることにより、指の圧力が直接突起１３に伝わり、揉捏法によるマッサージを行う際に、肌をしっかりととらえ、より安定した状態でマッサージを行うことが可能になる。
【００３６】
なお、本実施形態では、円弧形状に縁取りされた基板１１の後端外周縁部１１ｃから斜め側方に突出して、係止輪部２１が設けられている。係止輪部２１は、基板１１と一体成形されて設けられていることが好ましい。係止輪部２１を例えば係止突起に係止することで、マッサージ具１０を使用しない時に、当該マッサージ具１０を壁や収納部に簡易に納めておくことが可能になる。
【００３７】
そして、上述の構成を備える本実施形態のマッサージ具１０によれば、例えば、人さし指と中指との間の指股部に指股挟込み把持部１２を挟み込んで、基板１１の一方の面１１ａを掌に沿わせるようにしてマッサージ具１０を手に装着した状態で、基板１１の他方の面１１ｂを身体の皮膚に当接させると共に、マッサージ具１０を皮膚に押し付けたり押し付けを開放したりする操作を繰り返すことによって、圧迫法によるマッサージを行うことが可能になる。例えば基板１１の他方の面１１ｂを皮膚に軽く当接させると共に、マッサージ具１０を身体の表面に沿って横移動させることによって、軽擦法によるマッサージを行うことが可能になる。例えば基板１１の他方の面１１ｂを皮膚に強く当接させると共に、マッサージ具１０を身体の表面に沿って横移動させることによって、強擦法によるマッサージを行うことが可能になる。例えばマッサージ具１０を手に装着した状態で、マッサージ具１０を皮膚に向けて叩くようにして上下に繰り返し動かせば、打突法によるマッサージを行うことが可能になる。
【００３８】
また、例えば、人さし指と中指との間の指股部に指股挟込み把持部１２を挟み込んで、基板１１の一方の面１１ａを掌に沿わせるようにしてマッサージ具１０を手に装着した状態で、基板１１の他方の面１１ｂを身体の皮膚に当接させると共に、変形誘導部１４により、例えば指股挟込み把持部１２の縦長方向と交差する任意の方向を屈曲谷線Ｘの方向としつつ、種々の立体形状を備える身体の各部位の形状に沿わせて基板１１を屈曲させたり屈曲を開放したりすることで、屈曲させる際の手の握力によって身体の各部位を揉み解すことにより、揉捏法によるマッサージを効果的に行うことが可能になる。
【００３９】
特に、例えば基板１１の縦長方向両側部分の間に肩の部分を挟み込んで、強く握ったり、これを開放する操作を繰り返すことによって、基板１１の他方の面１１ｂを肩の部分の皮膚に適度な深さで繰り返し食い込ませながら、把握揉捏法によるマッサージ効果と同等のマッサージ効果を、効果的に得ることが可能になる。
【００４０】
したがって、本実施形態のマッサージ具１０によれば、圧迫法や強擦法や軽擦法や打突法によるマッサージに加えて、揉捏法によるマッサージを効果的に行うことが可能になる。
【００４１】
また、本実施形態のマッサージ具１０では、指股挟込み把持部１２の近傍に設けられた変形誘導部１４は、開口部１５ａや薄肉部１５ｂを形成することなく、好ましくは当該変形誘導部１４のゴム硬度を、基板１１の当該変形誘導部１４以外の部位のゴム硬度より低くすることによって、基板１１の当該変形誘導部１４以外の部位よりも柔らかい材質とすることで形成することもできる。このような、基板１１の他の部位よりも柔らかい材質（軟質部１５ｃ、図５、図６参照）となっている変形誘導部１４によっても、板状の基板１１が屈曲するように容易に誘導することができる。
【符号の説明】
【００４２】
１０  マッサージ具
１１  基板
１１ａ  一方の面
１１ｂ  他方の面
１１ｃ  後端外周縁部
１１ｄ  先端外周縁部
１１ｅ  側縁部
１２  指股挟込み把持部
１２ａ  指股挟込み把持部の基板の後端縁部側の基端部
１２ｂ  指股挟込み把持部の側面
１３  突起
１３ａ  リング状凹溝
１３ｂ  中央小突起
１４  変形誘導部
１５ａ  開口部
１５ｂ  薄肉部
１６  板状部分
１７  表面リブ
１８  側面リブ
１９  指掛けつば部
２０  周縁肉厚部
Ｘ    屈曲谷線
【図１】
0005839559.tif 000002
【図２】
0005839559.tif 000003
【図３】
0005839559.tif 000004
【図４】
0005839559.tif 000005
【図５】
0005839559.tif 000006
【図６】
0005839559.tif 000007
【図７】
0005839559.tif 000008